(57)【要約】【課題】多様な使用環境で幅広く使用可能でありながらも、低騒音化を図ることのできるプロジェクタを提供する。【解決手段】プロジェクタ１内部の温度に応じて、内部冷却用のファン１５に供給する印加電圧を制御するようにしたプロジェクタ１であって、プロジェクタ１内部の温度が同じでもファン１５に供給する印加電圧が異なる複数のクーリングモードを切替可能とした。そして、使用環境に応じてクーリングモードを切り替えることにより、使用環境に合ったファン１５の駆動制御が可能となり、結果として低騒音化が図れる。【選択図】        図５
2004245987.tif 000002
【特許請求の範囲】
【請求項１】
プロジェクタ内部の温度に応じて、内部冷却用のファンに供給する印加電圧を制御するようにしたプロジェクタであって、
プロジェクタ内部の温度が同じでもファンに供給する印加電圧が異なる複数のクーリングモードを切替可能としたことを特徴とするプロジェクタ。
【請求項２】
プロジェクタ内部の温度に応じて、プロジェクタ内部冷却用のファンに供給する印加電圧を制御するようにしたプロジェクタであって、
プロジェクタ内部の温度が同じでもファンに供給する印加電圧が異なる複数のクーリングモードを有し、何れか１つのクーリングモードを設定するクーリングモード設定部と、
プロジェクタ内部の温度を検出する温度検出部と、
前記ファンを駆動するファン駆動部と、
前記クーリングモード設定部に設定されたクーリングモードと、前記温度検出部で検出された温度とに基づいて前記ファン駆動部を制御する制御部と
を備えたことを特徴とするプロジェクタ。
【請求項３】
プロジェクタ内部の温度と、その温度が検出されたときにファンに印加する印加電圧との関係が設定された制御テーブルを前記各クーリングモード毎に記憶する制御テーブル記憶部を備え、前記制御部は、前記クーリングモード設定部に設定されたクーリングモードに基づいて前記制御テーブル記憶部から該当の制御テーブルを選択し、選択した制御テーブルと、前記温度検出部で検出された温度とに基づいてファンに印加する印加電圧を決定し、印加電圧をファンに印加するように前記ファン駆動部を制御することを特徴とする請求項２記載のプロジェクタ。
【請求項４】
前記複数のクーリングモードの何れかを選択する選択スイッチをプロジェクタ本体に設け、前記選択スイッチによりクーリングモードを切り替え可能としたことを特徴とする請求項１乃至請求項３の何れかに記載のプロジェクタ。
【請求項５】
前記複数のクーリングモードから何れか１つのクーリングモードを選択可能なメニュー画面を表示し、該メニュー画面からクーリングモードを切り替え可能としたことを特徴とする請求項１乃至請求項３の何れかに記載のプロジェクタ。
【請求項６】
前記複数のクーリングモードは、プロジェクタが設置される使用環境に応じて設けられたものであり、プロジェクタを気圧の高い低地で使用する際に設定される低地モードと、プロジェクタを気圧の低い高地で使用する際に設定される高地モードとの２種類のモードを有することを特徴とする請求項１乃至請求項５の何れかに記載のプロジェクタ。
【請求項７】
前記複数のクーリングモードは、プロジェクタが設置される使用環境に応じて設けられたものであり、プロジェクタを机や床に設置して使用する際に設定されるデスクトップモードと、天吊り状態で使用する際に設定される天吊りモードとの２種類のモードを有することを特徴とする請求項１乃至請求項５の何れかに記載のプロジェクタ。
【発明の詳細な説明】
【０００１】
【発明の属する技術分野】
本発明は、プロジェクタに関するものである。
【０００２】
【従来の技術】
プロジェクタには、光源として高輝度のランプが備えられており、このランプによる内部の温度上昇を抑制するために、従来より冷却ファンによる空冷が行われている。近年では、この空冷を効果的に行うために冷却ファンの駆動制御を行うようにしたプロジェクタが提案されており、例えば、プロジェクタ内部の温度を検出するための温度センサを複数設け、その各温度センサによって検出された温度に基づいてファンの駆動を制御するようにした液晶プロジェクタがある（例えば、特許文献１）。
【０００３】
【特許文献１】
特開２００２−２５８２３８号公報
【０００４】
【発明が解決しようとする課題】
ところで、近年、プロジェクタは様々な使用環境で使用されるようになってきた。例えば、気圧の低い高地などでも使用されるようになってきた。高地では、気圧が低く空気密度が低いため、ファンを低地での使用時と同じ回転数で動作させた場合、低地での使用時と同じような冷却効果が得られず、プロジェクタ内部の温度が上昇してしまう。したがって、上記従来技術のように、低地と高地などの使用環境を特に区別せず、単純に各温度センサによって検出された検出温度に基づいてファンの駆動を制御するプロジェクタでは、ある使用環境では必要な冷却効果が得られても、別の使用環境では十分な冷却効果が得られず、内部温度が上昇してプロジェクタがシャットダウンしてしまうなどの不都合が発生する場合があった。
【０００５】
これを解決するためには、高い冷却能力を必要とする使用環境に合わせて、ファンの回転数を予め高めに設定しておくことで対応可能である。しかしながら、このように高い冷却能力を必要とする使用環境に合わせてファンの回転数を決定してしまうと、それ以外の使用環境で使用した場合、ファンが必要以上の回転数で動作することとなり、騒音増大を招く結果となってしまう。
【０００６】
本発明は、このような点に鑑みなされたもので、多様な使用環境で幅広く使用可能でありながらも、低騒音化を図ることのできるプロジェクタを提供することを目的とする。
【０００７】
【課題を解決するための手段】
本発明に係るプロジェクタは、プロジェクタ内部の温度に応じて、内部冷却用のファンに供給する印加電圧を制御するようにしたプロジェクタであって、プロジェクタ内部の温度が同じでもファンに供給する印加電圧が異なる複数のクーリングモードを切替可能としたものである。
【０００８】
また、本発明に係るプロジェクタは、プロジェクタ内部の温度に応じて、プロジェクタ内部冷却用のファンに供給する印加電圧を制御するようにしたプロジェクタであって、プロジェクタ内部の温度が同じでもファンに供給する印加電圧が異なる複数のクーリングモードを有し、何れか１つのクーリングモードを設定するクーリングモード設定部と、プロジェクタ内部の温度を検出する温度検出部と、ファンを駆動するファン駆動部と、クーリングモード設定部に設定されたクーリングモードと、温度検出部で検出された温度とに基づいてファン駆動部を制御する制御部とを備えたものである。
【０００９】
以上のように構成したことにより、使用環境に応じてクーリングモードを切り替えることが可能となり、これにより、使用環境に合ったファンの駆動制御が可能となる。したがって、多様な使用環境で幅広く使用することができ、しかも、使用環境に合わない必要以上の回転数でのファンの駆動を阻止することができ、低騒音化が可能なプロジェクタを得ることができる。
【００１０】
また、本発明に係るプロジェクタは、プロジェクタ内部の温度と、その温度が検出されたときにファンに印加する印加電圧との関係が設定された制御テーブルを各クーリングモード毎に記憶する制御テーブル記憶部を備え、制御部は、クーリングモード設定部に設定されたクーリングモードに基づいて制御テーブル記憶部から該当の制御テーブルを選択し、選択した制御テーブルと、温度検出部で検出された温度とに基づいてファンに印加する印加電圧を決定し、印加電圧をファンに印加するようにファン駆動部を制御するものである。このように、クーリングモードに応じて選択された制御テーブルと検出温度とに基づいてファンに供給する印加電圧を決定するため、印加電圧を決定するに際しての制御部の処理を簡単なものとすることができる。
【００１１】
また、本発明に係るプロジェクタは、複数のクーリングモードの何れかを選択する選択スイッチをプロジェクタ本体に備え、選択スイッチによりクーリングモードを切り替え可能としたものである。このように、クーリングモードの切替選択は選択スイッチにより可能であり、選択スイッチを操作することにより、ユーザーが使用環境に応じて適宜、クーリングモードを切り替えることができる。
【００１２】
また、本発明に係るプロジェクタは、複数のクーリングモードから何れか１つのクーリングモードを選択可能なメニュー画面を表示し、メニュー画面からクーリングモードを切り替え可能としたものである。このように、クーリングモードの切替選択はメニュー画面から可能であり、メニュー画面上で、ユーザーが使用環境に応じて適宜、クーリングモードを切り替えることができる。
【００１３】
また、本発明に係るプロジェクタにおいて、上記複数のクーリングモードは、プロジェクタが設置される使用環境に応じて設けられたものであり、プロジェクタを気圧の高い低地で使用する際に設定される低地モードと、プロジェクタを気圧の低い高地で使用する際に設定される高地モードとの２種類のモードを有するものである。これにより、低地で使用する場合と高地で使用する場合とでクーリングモードを切り替えて、使用環境に合ったファンの駆動制御を実施することが可能となる。
【００１４】
また、本発明に係るプロジェクタにおいて、上記複数のクーリングモードは、プロジェクタが設置される使用環境に応じて設けられたものであり、プロジェクタを机や床に設置して使用する際に設定されるデスクトップモードと、天吊り状態で使用する際に設定される天吊りモードとの２種類を有するものである。これにより、机や床に設置して使用する場合と、天吊り状態で使用する場合とでクーリングモードを切り替えて、使用環境に合ったファンの駆動制御を実施することが可能となる。
【００１５】
【発明の実施の形態】
以下、本発明の一実施の形態の図面に基づいて説明する。
まず、本発明の特徴部分の説明に先だって、プロジェクタの内部の構成について説明する。
【００１６】
図１は、本発明の一実施の形態のプロジェクタを正面側から見た外観斜視図である。図２は、本発明の一実施の形態のプロジェクタを背面側から見た外観斜視図である。本例のプロジェクタ１の外装ケース２は直方体形状をしている。この外装ケース２は、基本的には、アッパーケース３と、ロアーケース４と、装置前面を規定しているフロントケース５から構成されている。そして、フロントケース５の中央からは投写レンズユニット６の先端側の部分が突出している。アッパーケース３の上面には、プロジェクタ１への各種の制御情報やデータを入力するための操作パネル７０が設けられている。また、外装ケース２の背面には、以下に詳述する複数のクーリングモードの何れかを選択するための選択スイッチ７１が設けられている。
【００１７】
図３は、プロジェクタの外装ケースの内部における各構成部分の配置を示す図である。この図に示すように、外装ケース２の内部において、その後端側には電源ユニット７が配置されている。これよりも装置前側に隣接した位置には、光源ランプユニット８および光学ユニット９が配置されている。さらに、光学ユニット９の前側の中央には、投写レンズユニット６の基端側が位置している。
【００１８】
一方、光学ユニット９の一方の側には、装置前後方向に向けて入出力インタフェース回路が搭載されたインタフェース基板１１が配置され、これに平行に、ビデオ信号処理回路が搭載されたビデオ基板１２が配置されている。さらに、光源ランプユニット８および光学ユニット９の上側には、装置駆動制御用の制御基板１３が配置され、装置前端側の左右の角には、それぞれスピーカ１４Ｒ，１４Ｌが配置されている。
【００１９】
また、外装ケース２内には、プロジェクタ内部冷却用のファン１５（１５Ａ，１５Ｂ，１５Ｃ）が複数配置されている。具体的には、光学ユニット９の上方及び下方に吸気ファン１５Ａ，１５Ｂが配置されている。また、光源ランプユニット８の裏面側である装置側面には排気ファン１５Ｃが配置されている。
【００２０】
これらのファン１５のうち、ファン１５Ｂは、主に、後述する液晶パネル４０Ｒ，４０Ｇ，４０Ｂ冷却用のファンとして機能している。尚、ファン１５Ａを液晶パネル４０Ｒ，４０Ｇ，４０Ｂの冷却用に用いることもできる。
【００２１】
以下、図４に基づき光学ユニット９および光学系の構成について説明する。
【００２２】
図４（Ａ）は、光学ユニットの部分を示す図である。この図に示すように、光学ユニット９は、その色合成手段を構成しているプリズムユニット２０以外の光学素子が上下のライトガイド９０１，９０２の間に上下から挟まれて保持された構成となっている。上ライトガイド９０１および下ライトガイド９０２は、それぞれ、アッパーケース３およびロアーケース４の側に固定ねじにより固定されている。また、これらの上下のライトガイド９０１，９０２は、プリズムユニット２０の側に同じく固定ねじによって固定されている。
【００２３】
プリズムユニット２０は、ダイキャスト板である厚手のヘッド板３０の裏面に固定ねじによって固定されている。このヘッド板３０の前面には、投写手段としての投写レンズユニット６の基端側が同じく固定ねじによって固定されている。したがって、本例では、ヘッド板３０を挟み、プリズムユニット２０と投写レンズユニット６とが一体となるように固定された構造となっている。
【００２４】
図４（Ｂ）は、プロジェクタに組み込まれている光学系の概略構成を示す図である。本例の光学系は、光源としてのランプ８０５と、均一照明光学素子であるインテグレータレンズ９２１，９２２を有する均一照明光学系９２３と、この照明光学系９２３から出射される光束Ｗを、赤、緑、青の各色光束Ｒ、Ｇ、Ｂに分離する色分離光学系９２４と、各色光束を変調する電気光学装置としての３枚の液晶パネル４０Ｒ，４０Ｇ，４０Ｂと、変調された色光束を合成する色合成光学系としてのプリズム合成体２２と、合成された光束を投写面上に拡大投写する投写レンズユニット６とから構成される。また、色分離光学系９２４によって分離された各色光束のうち、青色光束Ｂを対応する液晶パネル４０Ｂに導くリレー光学系９２７を有している。
【００２５】
均一照明光学系９２３は、さらに、反射ミラー９３１を備えており、ランプ８０５からの出射光の光軸１ａを装置前方向に向けて直角に折り曲げるようにしている。このミラー９３１を挟み、インテグレータレンズ９２１，９２２が前後に直交する状態に配置されている。
【００２６】
色分離光学系９２４は、青緑反射ダイクロイックミラー９４１と、緑反射ダイクロイックミラー９４２と、反射ミラー９４３から構成される。まず、青緑反射ダイクロイックミラー９４１において、均一照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、このミラー９４１を通過して、後方の反射ミラー９４３で直角に反射されて、赤色光束の出射部９４４から色合成光学系の側に出射される。次に、緑反射ダイクロイックミラー９４２において、ミラー９４１において反射された青および緑の光束Ｂ、Ｇのうち、緑色光束Ｇのみが直角に反射されて、緑色光束の出射部９４５から色合成光学系の側に出射される。このミラー９４２を通過した青色光束Ｂは、青色光束の出射部９４６からリレー光学系９２７の側に出射される。本例では、均一照明光学素子の光束の出射部から、色分離光学系９２４における各色光束の出射部９４４，９４５，９４６までの距離が全てほぼ等しくなるように設定されている。
【００２７】
色分離光学系９２４の赤色光束及び緑色光束の出射部９４４，９４５の出射側には、それぞれ集光レンズ９５１，９５２が配置されている。したがって、各出射部から出射した赤色光束及び緑色光束は、これらの集光レンズ９５１，９５２に入射して平行化される。
【００２８】
平行化された赤色および緑色の光束Ｒ、Ｇは、偏光板６０Ｒ，６０Ｇによって偏光方向が揃えられた後、液晶パネル４０Ｒ，４０Ｇに入射して変調され、各色光に対応した画像情報が付加される。すなわち、これらの液晶パネル４０Ｒ，４０Ｇは、図示していない駆動手段によって画像情報に対応する画像信号によってスイッチング制御され、これにより、ここを通過する各色光の変調が行われる。このような駆動手段は、公知の手段をそのまま使用することができる。
【００２９】
一方、青色光束Ｂは、リレー光学系９２７を介し、さらに、偏光板６０Ｂによって偏光方向が揃えられた後、対応する液晶パネル４０Ｂに導かれて、ここにおいて、同様に画像情報に応じて変調が施される。尚、本例の液晶パネル４０Ｒ，４０Ｇ，４０Ｂは、例えば、ポリシリコンＴＦＴをスイッチング素子として用いたものを使用できる。
【００３０】
リレー光学系９２７は、集光レンズ９７４と入射側反射ミラー９７１と、出射側反射ミラー９７２と、これらのミラー間に配置した中間レンズ９７３と、液晶パネル４０Ｂの手前側に配置した集光レンズ９５３から構成される。各色光束の光路の長さ、すなわち、ランプ８０５から各液晶パネルまでの距離は、青色光束Ｂが最も長くなり、したがって、この光束の光量損失が最も多くなる。しかし、リレー光学系９２７を介在させることにより、光量損失を抑制できる。
【００３１】
各液晶パネル４０Ｒ，４０Ｇ，４０Ｂを通って変調された各色光束は、偏光板６１Ｒ，６１Ｇ，６１Ｂに入射し、これを透過した光がプリズム合成体２２に入射され、ここで合成される。本例では、ダイクロイックプリズムからなるプリズム合成体２２を用いて色合成光学系を構成している。ここで合成されたカラー画像は、投写レンズユニット６を介して、所定の位置にある投写面１０上に拡大投写される。
【００３２】
以下、本発明の特徴部分について図面を参照しながら説明する。
ここで、本発明のプロジェクタの概要について簡単に説明する。本発明のプロジェクタは、プロジェクタ内部の温度に応じて、プロジェクタ内部に設けられた内部冷却用のファンに供給する印加電圧を制御するようにしたものであって、プロジェクタ内部の温度が同じでもファンに供給する印加電圧が異なる複数のクーリングモードを使用環境（例えば気圧の高い低地や気圧の低い高地など）に応じて切替可能としたものである。換言すれば、プロジェクタが設置される使用環境に応じて予め複数のクーリングモードを用意しておき、その各クーリングモードを、ユーザが適宜切り替えて使用することで、使用環境に合ったファンの駆動制御がなされるようにしたものである。これにより、プロジェクタ内部が過冷却又は冷却不足となることなく、必要十分な冷却が行われるようにファンが駆動され、必要以上の回転数でのファン駆動による騒音の増大化や、意図しないシャットダウンの防止を可能とするものである。
【００３３】
図５は、本発明の一実施の形態のプロジェクタの要部の電気的構成を示すブロック図である。
【００３４】
プロジェクタ１は、前述の操作パネル７０及び選択スイッチ７１からの信号を後述の制御部７５に出力するＩ／Ｏ部７２と、プロジェクタ１内部の温度を検出して後述の制御部７５に出力する温度検出部７３を備えている。また、後述の制御テーブルをクーリングモード毎に記憶する制御テーブル記憶部７４を備えている。さらに、操作パネル７０、選択スイッチ７１及び温度検出部７３からの信号に基づいて各種制御動作を行うと共に、プロジェクタ１全体を制御するマイコンからなる制御部７５を備えている。
【００３５】
また、光源ランプユニット８（図３参照）内のランプ８０５を駆動するランプ駆動部７６と、プロジェクタ１内部冷却用のファン１５を駆動するファン駆動部７７とを備えている。
【００３６】
さらに、外部から入力された映像信号を液晶パネル４０Ｒ，４０Ｇ，４０Ｂに供給すると共に、制御部７５からの制御信号に従って液晶パネル４０Ｒ，４０Ｇ，４０Ｂの種々の動作を制御する投写表示制御部７８を備えている。
【００３７】
以下、各部の詳細について説明する。
選択スイッチ７１は、上述したように、複数のクーリングモードの何れかをユーザが任意に選択するものである。複数のクーリングモードとして、本例では、プロジェクタ１を気圧の高い低地で使用する際に設定される低地モードと、プロジェクタ１を気圧の低い高地で使用する際に設定される高地モードとの２種類を選択できるものとする。
【００３８】
制御テーブル記憶部７４は、ファン１５に供給する印加電圧を決定する際に制御部７５が用いる制御テーブルを記憶する部分である。制御テーブルは低地モード用と高地モード用とが予め用意され、制御テーブル記憶部７４にその両方が記憶されている。制御テーブルは、プロジェクタ１内部の温度と、その温度が検出されたときにファン１５に印加する印加電圧との関係を設定したもので、次の図にその例を示す。
【００３９】
図６は、制御テーブル記憶部に記憶された低地モード用と高地モード用との２つの制御テーブルの一例を示す図である。なお、（ａ）が低地モード用、（ｂ）が高地モード用で、印加電圧ＶａＬ，ＶｂＬ，ＶｃＬ，ＶｄＬのそれぞれは、印加電圧ＶａＨ，ＶｂＨ，ＶｃＨ，ＶｄＨのそれぞれよりも低いものとする。
各制御テーブルには、それぞれその制御テーブルが用いられる使用環境に基づいて、予め冷却効率・騒音低減の面から最適化された印加電圧が温度毎に設定されている。このため、図６に示すように低地モード用と高地モード用とでは、プロジェクタ１内部の温度が同じでもファン１５に供給する印加電圧が異なっている。すなわち、高地では、上述したように低地での使用時に比べて冷却効率を上げる必要があることから、低地の場合と比べて印加電圧が高く設定され、高回転数でファン１５を動作させるようになっている。一方、低地では、高地での使用に比べて低い冷却効率で良いことから、印加電圧が低く設定され、低回転数でファン１５を動作させるようになっている。また、制御テーブルの印加電圧は、上述したように冷却効率のみならず騒音低減の面からも最適化されており、各モードそれぞれにおいて必要十分な回転数でファン１５が駆動するように設定されている。
【００４０】
なお、ファン１５は、図３に示したように、ファン１５Ａ、ファン１５Ｂ、ファン１５Ｃの３つを指しているが、それぞれのファンが同じ低地モード用制御テーブル、高地モード用制御テーブルを用いて動作するようにしても良いし、それぞれ別々の低地モード用制御テーブル、高地モード用制御テーブルを用いるようにしてもよい。本例では、ファン１５Ａ、ファン１５Ｂ、ファン１５Ｃの全てが同じ図６に示す制御テーブルを用いるものとする。
【００４１】
制御部７５は、クーリングモード設定部７５ａを有している。クーリングモード設定部７５ａには、選択スイッチ７１からの選択信号が入力され、その選択信号に基づいて、低地モードと高地用モードのどちらかのモードを設定する。制御部７５は、クーリングモード設定部７５ａに設定された設定モードに基づいて制御テーブル記憶部７４から該当の制御テーブルを選択し、選択した制御テーブルと、温度検出部７３で検出された温度とに基づいてファン１５に印加する印加電圧を決定する。そして、決定した印加電圧をファン１５に供給するようにファン駆動部７７に制御信号を出力する。また、制御部７５は、プロジェクタ１本体に設けられた操作パネル７０からの信号に基づいて各種設定動作、各部の動作制御を行う。
【００４２】
ランプ駆動部７６は、ランプ８０５に駆動電力を供給するための電源回路であり、外部から供給された電力を変圧してランプ８０５に供給するものである。このランプ駆動部７６は制御部７５によってランプ８０５への電力供給量が制御され、それによりランプ８０５の出力輝度が調整される。
ファン駆動部７７は、モータなどから構成され、ファン１５に動力を供給するものである。ファン駆動部７７は、制御部７５からの制御信号に従った印加電圧をファン１５に供給する。
【００４３】
投写表示制御部７８は、例えばパソコンなどで表示された画像または予め内部に記憶しておいた映像信号を読み込み、それをＲＧＢ信号として対応する液晶パネル４０Ｒ，４０Ｇ，４０Ｂに供給するものである。また、制御部７５からの指示に応じて画像表示のための各種の設定を行うためのメニュー画面を投写表示するように液晶パネル４０Ｒ，４０Ｇ，４０Ｂを制御するなどの処理も行う。
【００４４】
以下、本実施の形態の動作を説明する。図７は、本実施の形態の動作の流れを示すフロチャートである。
プロジェクタ１の電源投入後、制御部７５は、クーリングモード設定部７５ａをアクセスして現在のクーリングモードを読み出す（Ｓ１）。温度検出部７３は、プロジェクタ１の電源が投入されている間、プロジェクタ１内部の温度を検出しており、制御部７５は、温度検出部７３によって検出された温度を読み出す（Ｓ２）。そして、制御部７５は、現在のクーリングモードに対応する制御テーブルを制御テーブル記憶部７４から選択し、選択した制御テーブルと温度検出部７３の検出温度とに基づいてファン１５に印加する印加電圧を決定する（Ｓ３）。
【００４５】
そして、その決定した印加電圧をファン１５に供給するための制御信号をファン駆動部７７に出力する（Ｓ３）。これにより、ファン駆動部７７は制御部７５で決定された印加電圧をファン１５に供給する。以上の動作が所定時間毎に繰り返し実施され、そのときのクーリングモードと検出温度とに応じたファン１５の駆動制御が実現される。
【００４６】
以下、具体例で説明する。なお、ここでは図６に示した制御テーブルが用いられるものとして以下の説明を行う。
ある読み出しタイミングで読み出されたクーリングモードが高地モードで、検出温度がＴａと読み出された場合、印加電圧はＶａＨと決定される。そして、この印加電圧ＶａＨがファン１５に供給される。以降、選択スイッチ７１が高地モードに設定されている間、高地モード用の制御テーブルと検出温度とに基づいて決定された印加電圧がファン１５に供給される。そして、選択スイッチ７１が低地モードに切り替えられた場合、その切り替えタイミング以降に実施されたクーリングモードの読み出しタイミングでクーリングモードが低地モードと読み出され、また、ステップＳ２の処理において検出温度がＴｂと読み出された場合、印加電圧はＶｂＬと決定される。そして、この印加電圧ＶｂＬがファン１５に供給されることになる。
【００４７】
以上に説明したように、本実施の形態によれば、クーリングモードを使用環境に応じて切り替え可能とし、使用環境に合ったファン１５の駆動制御がなされるようにしたため、多様な使用環境での幅広い使用が可能でありながらも、従来のような必要以上の回転数でのファン１５の駆動が阻止されて低騒音化を図ることが可能なプロジェクタ１を得ることができる。また、従来のように、使用環境に合わないファンの駆動が行われることにより内部温度が上昇してシャットダウンしてしまうといった不都合も解消することができる。
【００４８】
なお、本実施の形態では、低地モードと高地モードとを用意し、これらを使用環境に応じて切り替える例を挙げて説明したが、これに限られたものではなく、例えば机やテーブルなどで使用する際のデスクトップモードと、天井などに吊り下げられて使用する際の天吊りモードとを用意するようにしてもよい。プロジェクタ１を天吊り状態で使用する場合には、デスクトップで使用する際の設置状態とは逆さまな状態で吊り下げられて使用される。このため、ファン１５による冷却空気の流れがデスクトップ使用時と異なり、冷却効率が変わってくる場合がある。従って、デスクトップモードと天吊りモードとを用意し、使用環境に応じてそれぞれのモードの制御テーブルを切り替えて使用することにより、使用環境に合ったファン１５の駆動制御を実施することが可能となる。
【００４９】
また、クーリングモードの数は、２つに限られたものではなく、３つ以上としても良い。本発明は、要するに、プロジェクタ１内部の温度が同じでもファン１５に供給する印加電圧が異なる複数のクーリングモードが予め用意され、使用環境に応じてクーリングモードを切替可能な構成とされればよく、クーリングモードを切り替えられる実質的な使用環境の内容や、クーリングモードの数は特に限定されるものではない。
【００５０】
また、本実施の形態では、選択スイッチ７１によりクーリングモードを切り替えられるようにしたが、プロジェクタ１本体に設けられた操作パネル７０を用いてメニュー画面を表示させ、メニュー画面からクーリングモードを切り替えられるようにしても良い。
【００５１】
図８は、メニュー画面の一例を示す図である。
メニュー画面１００は、操作パネル７０のメニューボタン８０を押下することにより投写表示される画面で、ユーザーが所望のクーリングモードを選択するためのクーリングモード選択領域１０１の他、各種の設定が可能な複数の選択領域を有している。図８に示すクーリングモード選択領域１０１には、ＨｉｇｈモードとＮｏｒｍａｌモードのどちらかを選択できる例が示されている。選択操作としては、操作パネル７０の方向ボタン８１ａ，８１ｂ（図１，図２参照）を操作することによって選択可能である。ここで選択されたモードがクーリングモード設定部７５ａに設定され、その設定モードに応じたファン１５の駆動制御が実施されることになる。
【００５２】
また、クーリングモードの選択は、以上に説明したような手動によるものに限られず、自動的に行われるようにしてもよい。例えば、低地モードと高地モードとのどちらかを選択する場合であれば、気圧を検出するセンサを設け、検出された気圧に応じて自動的に選択する構成を採用するようにしても良い。
【００５３】
なお、上記実施の形態では、透過型の液晶パネルを用いたプロジェクタに本発明を適用した場合を例に説明したが、本発明は、反射型の液晶パネルを用いたプロジェクタにも適用することが可能である。ここで、「透過型」とは、液晶パネルが光を透過するタイプであることを意味しており、「反射型」とは液晶パネルが光を反射するタイプであることを意味している。
【００５４】
また、上記実施の形態では、ランプからの光を変調する光変調素子として液晶パネルが用いられていたが、液晶パネルに限られず、例えば、マイクロミラーを用いた装置や、ＣＣＤ（電荷結合素子）を用いても良く、これらを備えたプロジェクタに本発明を適用することも可能である。
【００５５】
さらに、投写型のプロジェクタとしては、投写像を観察する方向から投写を行う前面投写型プロジェクタと、投写像を観察する方向とは反対側から投写を行う背面投写型プロジェクタとがあるが、本発明は、その何れにも適用可能である。
【００５６】
また、上記実施の形態では、３つの液晶パネルを用いたいわゆる３板方式のプロジェクタに本発明を適用した場合を例に示したが、これに限られず、例えば液晶パネルを２枚又は４枚用いた２板方式又は４板方式のプロジェクタに本発明を適用することも可能である。
【図面の簡単な説明】
【図１】本発明に係るプロジェクタを正面側から見た外観斜視図。
【図２】本発明に係るプロジェクタの背面側から見た外観斜視図。
【図３】図１の外装ケースの内部における各構成部分の配置を示す図。
【図４】（Ａ）光学レンズユニットと投写レンズユニットの部分を取り出して示す図、（Ｂ）光学系の概略構成図。
【図５】本発明の一実施の形態の要部の電気的構成を示すブロック図。
【図６】制御テーブルの一例を示す図。
【図７】本実施の形態の動作を示すフロチャート。
【図８】メニュー画面の一例を示す図。
【符号の説明】
１  プロジェクタ、１５（１５Ａ，１５Ｂ，１５Ｃ）  ファン、４０Ｂ  液晶パネル、４０Ｒ，４０Ｇ，４０Ｂ  液晶パネル、７１  選択スイッチ、７３  温度検出部、７４  制御テーブル記憶部、７５ａ  クーリングモード設定部、７７ファン駆動部、７８  投写表示制御部、８０  メニューボタン、１００  メニュー画面、８０５  ランプ
【図１】
2004245987.tif 000003
【図２】
2004245987.tif 000004
【図３】
2004245987.tif 000005
【図４】
2004245987.tif 000006
【図５】
2004245987.tif 000007
【図６】
2004245987.tif 000008
【図７】
2004245987.tif 000009
【図８】
2004245987.tif 000010